(57)【要約】【課題】ところで、スイッチとバッテリーをコンパクトに一体とする事で、オブジェの中に組み込むことが出来る、防水構造になっている事で使用場所を問わない、誰でも簡単にバッテリー交換が出来、取扱いもシンプルで壊れにくい電気のいる所に手軽に提供することにある、防水された、バッテリーとスイッチをコンパクトに合体させる事で、アクセサリー、オブジェ、医療機器、等を水中・液体の中に限らず何処でも必要な時に電気を送り作動させることが出来る手段を提供する。【解決手段】前期目的は、本発明の螺子式水中バッテリースィッチのパッキンの弾力を利用し、螺子の特性を生かした装置を、コンパクトにまとめ必要な時に、必要な個所へ電気を送ることを特徴とする。【選択図】図２
2005347228.tif 000002
【特許請求の範囲】
【請求項１】
雌螺子と雄螺子の中に電池を組込み、螺子の回転により電流の流れ、ＯＮ、ＯＦＦをコントロールする、ゴム・スポンジ等でパッキンを設け、その弾力をバネの代りとした小型で小さくバッテリーを内蔵した、螺子式水中バッテリースィッチ
【請求項２】
雌螺子と雄螺子の中に電池を組込み、螺子の回転により電流の流れ、ＯＮ、ＯＦＦをコントロールし、螺子を締めた時の圧力を、ゴム・スボンジ等で作った、防水パッキンに伝え、圧迫し、その弾力を利用した摩擦力で電池室を密閉し水中・液体の中でも電流の流れをコントロール、ＯＮ・ＯＦＦを可能にした，螺子式水中バッテリースィッチ。
【請求項３】
オブジェ本体に、電極を設け、プリント配線し発光体を組込み透明な薄板をオブジェの表面に接着防水、又は、防水塗料を塗り詰め防水処理後これを、螺子式回転スィッチの電池室の一方の壁とし、壁のオブジェの電極に、電流を流し発光体を観賞用として発光点滅させる、螺子式水中バッテリースィッチを利用したオブジェ。
【請求項４】
螺子式水中バッテリースィッチ本体に、複数のオブジェを作成する、使用目的により交換可能にする、例えば指輪本体を螺子式水中バッテリースィッチとし、上の飾の部分、石、ガラス、プラスチック等をオブジェとする、これに発光体を組入れ、電気を送り発光させ観賞用とする。
【請求項５】
ボールペンの大きさのオブジェの内部に、モータを取付け、先の部分を取替え可能にして回転ヤスリを取付け回転させる、オブジェと同じ大きさの、螺子式水中バッテリースィッチで、電気を送り、金属、木、歯、爪、骨等を削り、加工する、携帯用加工研磨器。
【請求項６】
螺子式水中バッテリースィッチの内部と外側にマグネットを取付け、オブジェを簡易に固定する個所を、内部のマグネットと、外部のマグネットの間に挟み取付け簡易固定するマグネットピン。
【発明の詳細な説明】
【技術分野】
【０００１】本発明はバッテリー室とスイッチを一体化し、密閉させることにより、オールウエザーで利用できる、水中・液体の中でも機能し、小型で安価で軽量である海・川・野・山で電気が必要な時の装置に関する。
【背景技術】
【０００２】
【発明の開示】
【発明が解決しようとする課題】
【０００３】例えば電池に防水性は無くスイッチを内蔵した物も無い、スイッチとバッテリーは個別のユニットとして取扱われ、バッテリー交換は乾燥されたところで行われている。海中・水中・液体・の中でバッテリー及びスイッチ交換が容易に出来、天気に左右されない。【０００４】水槽に岩・海草・魚・絵のオブジェ、他に、指輪、ブレスレット、ブローチ、イヤリング、マスコット等に、発光体を組入れ配線し、螺子式水中バッテリースィッチで発光させる、観賞用、アクセサリーとしての手段を提供する事に有る。【０００５】医療機器等体内に埋め込使用するバッテリーとして、防水性があり軽くて小型で交換が簡単である。
【課題を解決するための手段】
【０００６】前期目的は本発明の、螺子式水中バッテリースィッチにより達成される。この螺子式水中バッテリースィッチは電池、雄螺子、雌螺子、ゴム／スポンジパッキン、絶縁プリント配線板、薄板防水透明カバー、を装置の部品とし、螺子本来の目的を利用し作動させることを特徴とする。
【発明の効果】
【０００７】この螺子式水中バッテワースィッチは、電源を必要とする小型機器類及び、水中オブジェ、水中ユニット、医療機器等に螺子式水中バッテリースィッチを接続し電流ＯＮで作用する、小型で何処でも持ち運ぶことが出来る。
【発明を実施するための最良の形態】
【０００８】本発明に係る螺子式水中バッテリースィッチの添付図面に基き説明する、本体の主な構造は、雌螺子本体３、雄螺子本体５、オブジェ本体及び、取付機器類１４、１４ａ、１４ｂ、１４ｃ等、ゴム・シリコン・スポンジ、パッキン４，４ａ、電極部１２，１２ａ、１２ｂ、電池１１、止水板絶縁基板８、配線基盤１８、からなる、螺子３，５、の空洞部に電池１１、を入れネジの空け締めの回転により、電池１１、がパッキン４，４ａを圧縮しパッキン４、４ａが周囲と摩擦する事で密閉されると同時に、それぞれの電極部１２、１２ａ、１２ｂ、が接触し１８、に通電する。
【実地例】
【０００９】以下、本発明の螺子式水中バッテリースィッチを実地例に基づいて説明する。実地例に係る螺子式水中バッテリースィッチの主要断面図を図１に示す。この螺子式水中バッテリースィッチは、雄螺子本体５、雌螺子本体３、ゴム／スポンジパッキン４、オブジェ本体１４、マイナス電極部１２・１２ａ・止水板絶縁基板８、が主たる部品から構成される、図２に示す、この断面図は電源ＯＦＦの状態を示す、５を締めると３に食込み４が１１と８の間で圧縮される圧縮された摩擦により外部からの液体の進入を防ぐと同時に、１２・１２ａが接触し電極部に電流が流れる、又７を調整する事により常時４の圧縮が可能になり１１と８の間で摩擦が発生し液体の進入を防ぐ、１４も同様に４ａを圧縮し１２ｂと１２ａを接触させ電極部に電流を流す、１４には１３を任意に配置し、それぞれの電極部にプリント配線し、絵、写真をプリントしその上に１を設けると液体の中で発光体となり輝く、又１０と１０ａの間に任意の取付箇所を間に挟みマグネットでサンドイッチにし簡易固定する。図３に示す、この断面図は、電源ＯＮの状態を示す、１４のオブジェ本体絶縁基板の１８に１２ａと１２ｂが接触ＯＮになりそれぞれの４，４ａが圧縮され水、液体の進入を防ぐと同時に発行体１３が作動する。図４に示す、この断面図は、オブジェ本体絶縁基板１４に螺子式水中バッテリースィッチ１９を直接固定した断面図である、１４に１７を接着固定し３のアンカー１６に接着固定、１４にオブジェ本体に１８を行い１４の両面、表、裏に１を設け水中発光させる。図５に示す、水槽に図４のオブジェを、１０，１０ａで挟み一体となった、螺子式水中バッテリースィッチを水中発光させた図である。図６に示す。螺子式水中バッテリースィッチ本体に、止水パッキン・防水パッキン４ａを介し、オブジェを合体させる図である。図７に示す、例えば、機器類の例題として、指輪リンク２３、に螺子式水中バッテリースィッチ本体を一体化、組み込ませ、オブジェ１４に配線１８を行い、目的別に１４ａ、１４ｂ、１４ｃ等、取り揃え、取替えながら利用する、指輪リンク２３、が他の機器類でも問題は無い。
【産業上の利用可能性】
【００１０】本発明は、水中オブジェ、バッチ、ブローチ、ベンダント、ネクタイビン、カウスボタン、ボタン、人形、携帯用医療機器、等を作動させたり、光らせたりする水中及び一般に利用するバッテリースイッチに適した装置に関する。
【図面の簡単な説明】
【図１】 
【００１１】実地例に係る螺子式水中バッテリースィッチの、構造姿図である。【図２】 
【００１２】図１に示す、螺子式水中バッテリースィッチの拡大断面図電源ＯＦＦの状態を示す。【図３】 
【００１３】図１に示す、螺子式水中バッテリースィッチ拡大断面図電源ＯＮの状態を示す。【図４】 
【００１４】螺子式水中バッテリースィッチとオブジェ本体１４、が一体となった構造の拡大断面図電源ＯＮ状態を示す。【図５】 
【００１５】図４に示す。オブジェ本体１４、螺子式水中バッテリースィッチ一体型をマグネット１０、１０ａで、水槽の壁２１を挟み取付けたオブジェの姿図を示す。【図６】 
【００１６】螺子式水中バッテリースィッチ本体に、止水パッキン・防水パッキン４ａ介し、オブジェ１４を合体させる図である。【図７】 
【００１７】指輪リンク２３、と螺子式水中バッテリースィッチ本体を一体化させ、オブジェ１４に配線１８を行い、目的別に、１４ａ，１４ｂ，１４ｃ等、取り揃え、取替えながら使用する。【図８】 
【００１８】ボールペンほどの大きさのペンオブジェ２４に、螺子式水中バッテリースィッチを取付け、モーターを内蔵させペンオブジェに電気を送り、ヤスリオブジェ２５ａ、を回転させる、削る目的に合ったヤスリオブジェに取替え、回転により、歯、爪、金属、木等削り、加工する携帯用研磨器。
【符号の説明】
【００１９】１    発光体保護透明板接着・防水塗装等
１ａ  オブジェ、石・ガラス・プラスチック等
２    電極部
３    雌螺子本体
４    ゴム・シリコン・スポンジ、パッキン
４ａ  ゴム・シリコン・スポンジ、パッキン
５    雄螺子本体
５ａ  雄螺子ネジ切部
６    螺子を締める、電源ＯＮ
６ａ  螺子を開ける、電源ＯＦＦ
７    有効締巾
８    止水板絶縁基板
９    挟んでオブジェ取付箇所
１０    マグネット
１０ａ  マグネット
１１    電池
１１ａ  電池電極部
１２    電極部
１２ａ  電極基盤
１２ｂ  電極部
１３    発光体
１４    オブジェ本体
１４ａ  オブジェ本体
１４ｂ  オブジェ本体
１４ｃ  オブジェ本体
１５    オブジェ本体ネジ切部
１６    雄螺子アンカー部
１７    オブジェアンカー部
１８    オブジェプリント配線
１９    螺子式水中バッテリースィッチ
２０    水槽液体
２１    水槽液体
２２    水槽底部
２３    指輪リング本体
２４    ペン型オブジェ
２５ａ  ヤスリオブジェ
【図１】
2005347228.tif 000003
【図２】
2005347228.tif 000004
【図３】
2005347228.tif 000005
【図４】
2005347228.tif 000006
【図５】
2005347228.tif 000007
【図６】
2005347228.tif 000008
【図７】
2005347228.tif 000009
【図８】
2005347228.tif 000010